(57)【要約】【課題】利便性を低下させることなく、セキュリティ・安全性を向上させる。【解決手段】携帯端末２０は、文字を入力する文字入力部２１と、入力される文字から、入力される語句を予測し、予測変換候補として出力する予測変換部２２と、予測変換部２２から出力される予測変換候補を表示する表示部２３と、当該携帯端末２０の利用状況を取得する利用状況取得部２４と、利用状況取得部２４によって取得された当該携帯端末２０の利用状況に基づいて、予測変換部２２から出力される予測変換候補の表示部２３への表示／非表示を制御する予測変換表示制御部２５とを備えている。【選択図】図６
2014137639.tif 000002
【特許請求の範囲】
【請求項１】
文字を入力する文字入力部と、
前記文字入力部から入力される文字から、入力される語句を予測し、予測変換候補として出力する予測変換部と、
前記予測変換部から出力される予測変換候補を表示する表示部と、
当該携帯端末の利用状況を取得する利用状況取得部と、
前記利用状況取得部によって取得された当該携帯端末の利用状況に基づいて、前記予測変換部から出力される予測変換候補の前記表示部への表示／非表示を制御する予測変換表示制御部と
を備えることを特徴とする携帯端末。
【請求項２】
前記利用状況取得部は、
当該携帯端末の所持者の生体情報を取得する生体情報取得部と、
当該携帯端末の位置情報を取得する位置情報取得部と
を備え、
前記予測変換表示制御部は、前記生体情報取得部によって取得された前記所持者の生体情報と、前記位置情報取得部によって取得された当該携帯端末の位置情報に基づいて算出される前記第三者との距離を示す位置情報とが所定の非表示条件に一致する場合に、前記予測変換部から出力される予測変換候補を非表示とする
ことを特徴とする請求項１に記載の携帯端末。
【請求項３】
前記予測変換部は、前記予測変換候補を、カテゴリ別に分類して保持しており、
前記所定の非表示条件は、非表示とする予測変換候補のカテゴリを特定する
ことを特徴とする請求項１または２に記載の携帯端末。
【請求項４】
前記所定の非表示条件として、所持者の生体情報と、前記第三者との距離を示す位置情報と、非表示とする予測変換候補のカテゴリとを対応付けて設定する非表示条件設定部を更に備えることを特徴とする請求項３に記載の携帯端末。
【請求項５】
前記利用状況取得部は、
通信系アプリケーションから送信される送信情報の宛先を示す宛先情報を取得する宛先情報取得部を更に備え、
前記予測変換表示制御部は、前記生体情報取得部によって取得された前記所持者の生体情報と、前記位置情報取得部によって取得された当該携帯端末の位置情報に基づいて算出される前記第三者との距離を示す位置情報と、前記宛先情報取得部によって取得された前記宛先情報とが所定の共有条件に一致する場合に、前記予測変換部から出力される予測変換候補を前記第三者と共有する
ことを特徴とする請求項２に記載の携帯端末。
【請求項６】
前記予測変換部は、前記予測変換候補を、カテゴリ別に分類して保持しており、
前記所定の共有条件は、共有する予測変換候補のカテゴリを特定する
ことを特徴とする請求項５に記載の携帯端末。
【請求項７】
前記所定の非表示条件として、所持者の生体情報と、前記第三者との距離を示す位置情報と、前記宛先情報と、共有する予測変換候補のカテゴリとを対応付けて設定する共有条件設定部を更に備えることを特徴とする請求項６に記載の携帯端末。
【請求項８】
携帯端末のコンピュータに、
文字を入力する文字入力機能、
前記入力される文字から、入力される語句を予測し、予測変換候補として出力する予測変換機能、
前記予測変換機能から出力される予測変換候補を表示部に表示する表示機能、
当該携帯端末の利用状況を取得する利用状況取得機能、
前記利用状況取得機能によって取得された当該携帯端末の利用状況に基づいて、前記予測変換機能から出力される予測変換候補の前記表示部への表示／非表示を制御する予測変換表示制御機能
を実行させることを特徴とするプログラム。
【発明の詳細な説明】
【技術分野】
【０００１】
本発明は、携帯端末、及びプログラムに関する。
【背景技術】
【０００２】
近年、携帯電話やタブレット端末などの情報端末装置においては、文書作成する際の操作を容易にするために、文字入力時に逐次入力される文字から、入力される語句を予測して表示する予測変換機能が付加されている。予測変換機能では、使用頻度の高い文字列等を記憶しておき、次回以降の文字入力時に、使用された文字列の履歴に基づいて、入力されるであろう語句を予測して候補を表示するようになっている。
【０００３】
ところで、予測変換機能では、入力された語句を自動的に学習してしまうことで、パスワードや秘密事項などの機密性の高い語句についても、通常の語句と同様に履歴として記憶する。このため、他人がその携帯電話機を用いて文書を作成する際に、機密性の高い語句が予測変換候補として表示されてしまう場合がある。また、近くに第三者が居るような状況で、携帯電話機で文書を作成する際に、機密性の高い語句が予測変換候補として表示されると、機密性の高い語句が盗み見られる場合もある。そこで、機密性の高い語句が不用意に表示されることを防ぐための技術が提案されている。
【０００４】
例えば、特許文献１には、禁止文字列を登録しておき、確定文字列が該禁止文字列と同じでないことを条件に履歴として記憶することで、禁止文字列と同じ確定文字列を記憶しないようにし、禁止文字列が予測変換候補として表示されないようにする技術が提案されている。
【０００５】
また、特許文献２には、文字が入力されるごとに、シークレット状態に設定された発信先情報の中に上記入力された文字列を含むものが存在するか否かを判定し、存在する場合に予測メモリに保存された文字列が表示されないようにする技術が提案されている。
【先行技術文献】
【特許文献】
【０００６】
【特許文献１】特開２０１１−１７５４８１号公報
【特許文献２】特開２００６−１３４２５０号公報
【発明の概要】
【発明が解決しようとする課題】
【０００７】
しかしながら、上記特許文献１、２では、予め登録した語句を、機密性の高い語句として非表示とするため、利用状況によって秘密にしなくていい語句であっても非表示となってしまい、利便性を低下させるという問題がある。
【０００８】
そこで本発明は、利便性を低下させることなく、セキュリティ・安全性を向上させることができる携帯端末、及びプログラムを提供することを目的とする。
【課題を解決するための手段】
【０００９】
本発明の携帯端末は、文字を入力する文字入力部と、前記文字入力部から入力される文字から、入力される語句を予測し、予測変換候補として出力する予測変換部と、前記予測変換部から出力される予測変換候補を表示する表示部と、当該携帯端末の利用状況を取得する利用状況取得部と、前記利用状況取得部によって取得された当該携帯端末の利用状況に基づいて、前記予測変換部から出力される予測変換候補の前記表示部への表示／非表示を制御する予測変換表示制御部とを備えることを特徴とする携帯端末である。
【００１０】
本発明のプログラムは、携帯端末のコンピュータに、文字を入力する文字入力機能、前記入力される文字から、入力される語句を予測し、予測変換候補として出力する予測変換機能、前記予測変換機能から出力される予測変換候補を表示部に表示する表示機能、当該携帯端末の利用状況を取得する利用状況取得機能、前記利用状況取得機能によって取得された当該携帯端末の利用状況に基づいて、前記予測変換機能から出力される予測変換候補の前記表示部への表示／非表示を制御する予測変換表示制御機能を実行させることを特徴とするプログラムである。
【発明の効果】
【００１１】
この発明によれば、利便性を低下させることなく、セキュリティ・安全性を向上させることができる。
【図面の簡単な説明】
【００１２】
【図１】本発明の実施形態による携帯端末の利用状況を示すブロック図である。
【図２】本実施形態による携帯端末１の構成を示すブロック図である。
【図３】本実施形態による非表示条件ＤＢ１５の非表示条件の一例を示す概念図である。
【図４】本実施形態による共有条件ＤＢ１６の共有条件の一例を示す概念図である。
【図５】本実施形態における携帯端末１の動作を説明するためのフローチャートである。
【図６】付記１の構成を示すブロック図である。
【発明を実施するための形態】
【００１３】
以下、本発明の実施の形態を、図面を参照して説明する。
【００１４】
図１は、本発明の実施形態による携帯端末１の利用状況を示すブロック図である。図において、本実施形態による携帯端末１の特徴は、利用状況を条件として設定した予測変換語句をカテゴリ単位で非表示とすることが可能となっている。すなわち、携帯端末１は、端末所持者の生体情報と、第三者の位置情報との条件から、カテゴリ単位で予測変換語句を非表示とする（ＳＡ１）。つまり、本実施形態では、学習したすべての予測変換語句を非表示とするのではなく、利用状況に応じて、秘密にしなくていい情報を開示することで、セキュリティ・安全性を高めつつ、利便性も保つことができる。また、本実施形態では、非表示とするだけでなく、利用状況を条件にして、予測変換語句を共有することも可能としている。すなわち、携帯端末１は、端末所持者の生体情報と、第三者の位置情報と、宛先情報との条件から、カテゴリ単位で共有者（の携帯端末２）と予測変換辞書を共有する（ＳＡ２）。
【００１５】
上記利用状況とは、携帯端末１の所持者の生体情報（指紋センサ、近接センサ、顔認証からの情報；誰が端末を所持しているか）と、第三者の位置情報（近くにいるか）と、メールやメッセージ送信などの通信系アプリケーションの宛先情報（誰に対する情報か）とから導出される所持者（以下、ユーザという）の携帯端末１が置かれた状況のことを示す。以下、携帯端末１の所持者の生体情報をＢｉｏＩｎｆｏ、第三者の位置情報（第三者との距離）をＰｏｓＩｎｆｏ、宛先情報をＡｄｄｒＩｎｆｏと記述する。
【００１６】
ユーザは、事前に辞書に追加された予測変換語句をカテゴリ分けしておく。カテゴリ単位で非表示としたい場合には、分けたカテゴリに対してＢｉｏＩｎｆｏと、ＰｏｓＩｎｆｏとからなる非表示条件を設定する。携帯端末１では、その非表示条件に基づいて、予測変換語句の非表示が実施されることとなる。また、予測変換語句を追加したい場合には、分けたカテゴリに対してＢｉｏＩｎｆｏと、ＰｏｓＩｎｆｏと、ＡｄｄｒＩｎｆｏとからなる共有条件を設定する。携帯端末１では、その共有条件に基づいて、予測変換語句を他者（共有者）と共有し、追加することとなる。
【００１７】
図２は、本実施形態による携帯端末１の構成を示すブロック図である。なお、図２には、本発明に係る一部構成を示しており、それ以外の部分を省略している。図２において、携帯端末１は、ＧＰＳ制御部１０、各種センサ１１、通信系アプリケーション１２、予測変換表示制御部１３、条件設定部１４、非表示条件ＤＢ（データベース）１５、非表示条件ＤＢ１６、及び文字入力部１７を備えている。
【００１８】
ＧＰＳ（Ｇｌｏｂａｌ  Ｐｏｓｉｔｉｏｎｉｎｇ  Ｓｙｓｔｅｍ）制御部１０は、ＧＰＳ衛星のうち、上空にある数個の衛星から受信した信号に基づいて、当該携帯端末１の現在位置を示す位置情報を取得する。本実施形態では、当該携帯端末１の位置情報と、第三者の携帯端末（例えば、図１の携帯端末２）の位置情報とに基づいて、第三者との距離を示すＰｏｓＩｎｆｏ（位置情報）を取得する。
【００１９】
各種センサ１１は、指紋センサ、近接センサ、顔認証機能などを含み、ユーザのＢｉｏＩｎｆｏ（生体情報）を出力する。通信系アプリケーション１２は、メールアプリケーションや、ＳＭＳ（Ｓｈｏｒｔ  Ｍｅｓｓａｇｅ  Ｓｙｓｔｅｍ）アプリケーション、メッセージ送信アプリケーションなどを含み、ＡｄｄｒＩｎｆｏ（宛先情報）を出力する。
【００２０】
予測変換表示制御部１３は、予測変換表示に関わる動作を制御する。予測変換表示制御部１３は、ＧＰＳ制御部１０から当該携帯端末１の位置情報を取得するとともに、第三者の携帯端末（例えば、図１の携帯端末２）からその位置情報を取得し、双方の位置情報から、第三者との距離を示すＰｏｓＩｎｆｏ（位置情報）を取得する。また、予測変換表示制御部１３は、各種センサ１１からＢｉｏＩｎｆｏ（生体情報）を取得する。また、予測変換表示制御部１３は、通信系アプリケーション１２からＡｄｄｒＩｎｆｏ（宛先情報）を取得するとともに、非表示条件ＤＢ１５からは非表示条件の対象となるカテゴリ名を取得し、共有条件ＤＢ１６からは共有条件の対象となるカテゴリ名を取得する。このように、予測変換表示制御部１３は、第三者との距離を示すＰｏｓＩｎｆｏ（位置情報）の取得、ＢｉｏＩｎｆｏ（生体情報）の取得、及びＡｄｄｒＩｎｆｏ（宛先情報）の取得する利用状況取得機能を有する。
【００２１】
また、予測変換表示制御部１３は、文字入力部１７から予測変換候補表示の指示を受けた際、ＰｏｓＩｎｆｏ（位置情報）、ＢｉｏＩｎｆｏ（生体情報）、及びＡｄｄｒＩｎｆｏ（宛先情報）に一致する、非表示条件ＤＢ１５、あるいは共有条件ＤＢ１６から、非表示条件の対象となるカテゴリ名、あるいは共有条件の対象となるカテゴリ名を導出する。予測変換表示制御部１３は、非表示条件の対象となるカテゴリ名、あるいは共有条件の対象となるカテゴリ名を文字入力部１７に指示し、予測変換候補の表示／非表示、あるいは第三者との共有を制御する。
【００２２】
条件設定部１４は、予測変換を非表示にする条件、及び予測変換を共有する条件を設定する。つまり、条件設定部１４は、ユーザ入力に従って各条件を設定し、予測変換を非表示にする非表示条件については非表示条件ＤＢ１５に格納し、予測変換を共有する共有条件については共有条件ＤＢ１６に格納する。非表示条件ＤＢ１５は、非表示条件を管理するデータベースであり、条件名に紐付けて、ＢｉｏＩｎｆｏ、ＰｏｓＩｎｆｏ、非表示とするカテゴリ名を保持する。共有条件ＤＢ１６は、共有条件を管理するデータベースであり、条件名に紐付けて、ＢｉｏＩｎｆｏ、ＰｏｓＩｎｆｏ、ＡｄｄｒＩｎｆｏ、共有するカテゴリ名を保持する。
【００２３】
図３は、本実施形態による非表示条件ＤＢ１５の非表示条件の一例を示す概念図である。非表示条件ＤＢ１５には、例えば、図３に示すように、条件名「Ａさん」に対して、ＢｉｏＩｎｆｏ「Ｘさん」、ＰｏｓＩｎｆｏ「Ａさんとの距離が５ｋｍ以内」、非表示とするカテゴリ名「会社用語」が保持され、条件名「Ｂさん」に対して、ＢｉｏＩｎｆｏ「Ｘさん」、ＰｏｓＩｎｆｏ「Ｂさんとの距離が１０ｋｍ以内」、非表示とするカテゴリ名「友達用語」が保持されている。これら非表示条件は、条件設定部１４にて設定され、予測変換表示制御部１３にて使用される。
【００２４】
図４は、本実施形態による共有条件ＤＢ１６の共有条件の一例を示す概念図である。共有条件ＤＢ１６には、例えば、図４に示すように、条件名「家族」に対して、ＢｉｏＩｎｆｏ「Ｘさん」、ＰｏｓＩｎｆｏ「−」、ＡｄｄｒＩｎｆｏ「Ｙさん」、共有するカテゴリ名「家族専門用語」が保持され、条件名「会社」に対して、ＢｉｏＩｎｆｏ「Ｘさん」、ＰｏｓＩｎｆｏ「Ｃさんとの距離が５ｋｍ以内」、ＡｄｄｒＩｎｆｏ「Ｃさん」、共有するカテゴリ名「会社専門用語」が保持されている。これら共有条件は、条件設定部１４にて設定され、予測変換表示制御部１３にて使用される。
【００２５】
文字入力部１７は、表示と文字入力に関する動作を制御する。つまり、文字入力部１７は、表示装置１７１、入力部１７２、及び予測変換辞書１７３を備えている。表示装置１７１は、液晶表示器や、有機ＥＬ（Ｅｌｅｃｔｏｒｏ  Ｌｕｍｉｎｅｓｃｅｎｃｅ）表示器などからなり、予測変換辞書１７３から出力される予測変換候補（文字列）を表示する。入力部１７２は、ハードウェア、またはソフトウェアによる各種機能キーやテンキー（アルファベットキー）である。
【００２６】
予測変換辞書１７３は、入力部１７２から逐次入力される文字から、使用された文字列の使用頻度等に従って記憶されている履歴に基づいて、入力されるであろう語句を予測し、予測変換候補（文字列）を出力する。予測変換辞書１７３は、カテゴリ単位で予測変換候補を出力するため、予測変換候補（文字列）をカテゴリ分けして保持している。文字入力部１７では、予測変換表示制御部１３で導出された、非表示条件に対応する非表示とするカテゴリ名、または共有条件に対応する共有するカテゴリ名に基づいて、予測変換辞書１７３から出力される予測変換候補の表示、非表示、あるいは共有を制御する。
【００２７】
次に、上述した実施形態の動作について説明する。
図５は、本実施形態における携帯端末１の動作を説明するためのフローチャートである。まず、文字入力部１７は、ユーザ操作に従って、入力部１７２からの文字入力を実施し、予測変換辞書１７３を参照することで、表示装置１７１での候補の表示を開始する（ステップＳ１０）。次に、予測変換表示制御部１３は、ＧＰＳ制御部１０からＢｉｏＩｎｆｏ、各種センサ１１からＰｏｓＩｎｆｏ、通信系アプリリケーション１２からＡｄｄｒＩｎｆｏの情報を取得する（ステップＳ１２）。
【００２８】
次に、予測変換表示制御部１３は、非表示条件ＤＢ１３を参照し、上記ＢｉｏＩｎｆｏ、ＰｏｓＩｎｆｏ、ＡｄｄｒＩｎｆｏと一致する非表示条件があるか否かを判別する（ステップＳ１４）。そして、非表示条件ＤＢ１３に一致する条件がない場合には（ステップＳ１４のＮＯ）、予測変換表示制御部１３は、共有条件ＤＢ１６を参照し、上記ＢｉｏＩｎｆｏ、ＰｏｓＩｎｆｏ、ＡｄｄｒＩｎｆｏと一致する条件があるか否かを判別する（ステップＳ１６）。そして、共有条件ＤＢ１６に一致する条件がない場合には（ステップＳ１６のＮＯ）、文字入力部１７は、現在の予測変換候補を、そのまま表示装置１７１に表示する（ステップＳ１８）。その後、当該処理を終了する。
【００２９】
一方、非表示条件ＤＢ１３に一致する条件がある場合には（ステップＳ１４のＹＥＳ）、予測変換表示制御部１３は、一致した条件における非表示とするカテゴリ名を非表示条件ＤＢ１５から導出する（ステップＳ２０）。次に、予測変換表示制御部１３は、導出した非表示とするカテゴリ名を文字入力部１７に指示する（ステップＳ２２）。文字入力部１７は、予測変換表示制御部１から指示される非表示とするカテゴリ名に関する予測変換候補を非表示とする（ステップＳ２４）。その後、当該処理を終了する。
【００３０】
例えば、図３に示す条件名「Ａさん」に一致した場合、すなわち、当該携帯端末の所持者であるＸさんが当該携帯端末を所持しており（ＢｉｏＩｎｆｏ「Ｘさん」）、Ａさんとの距離が５ｋｍ以内で（ＰｏｓＩｎｆｏ「Ａさんとの距離が５ｋｍ以内」）である場合には、「会社用語」に関する予測変換候補が非表示となる。
【００３１】
また、図３に示す条件名「Ｂさん」に一致した場合、すなわち、当該携帯端末の所持者であるＸさんが当該携帯端末を所持しており（ＢｉｏＩｎｆｏ「Ｘさん」）、Ｂさんとの距離が１０ｋｍ以内で（ＰｏｓＩｎｆｏ「Ｂさんとの距離が１０ｋｍ以内」）である場合には、「友達用語」に関する予測変換候補が非表示となる。
【００３２】
一方、共有条件ＤＢ１６に一致する条件がある場合には（ステップＳ１６のＹＥＳ）、予測変換表示制御部１３は、一致した条件における共有するカテゴリ名を共有条件ＤＢ１６から導出する（ステップＳ２６）。次に、予測変換表示制御部１３は、導出した共有するカテゴリ名を文字入力部１７に指示する（ステップＳ２８）。文字入力部１７は、予測変換表示制御部１から指示される、共有するカテゴリ名に関する予測変換候補を共有する（ステップＳ３０）。その後、当該処理を終了する。
【００３３】
例えば、図４に示す条件名「家族」に一致した場合、すなわち、当該携帯端末の所持者であるＸさんが当該携帯端末を所持しており（ＢｉｏＩｎｆｏ「Ｘさん」）、第三者の位置情報に関わらず（ＰｏｓＩｎｆｏ「−」）、メール等の宛先情報がＹさん（ＡｄｄｒＩｎｆｏ「Ｙさん」）である場合には、「家族専門用語」に関する予測変換候補を共有することなる。
【００３４】
また、図４に示す条件名「会社」に一致した場合、すなわち、当該携帯端末の所持者であるＸさんが当該携帯端末を所持しており（ＢｉｏＩｎｆｏ「Ｘさん」）、Ｃさんとの距離が５ｋｍ以内で（ＰｏｓＩｎｆｏ「Ｃさんとの距離が５ｋｍ以内」）、メール等の宛先情報がＣさん（ＡｄｄｒＩｎｆｏ「Ｃさん」）である場合には、「会社専門用語」に関する予測変換候補を共有することなる。
【００３５】
上述した実施形態によれば、携帯端末１の利用状況に応じて、予測変換候補の表示装置１７１への表示／非表示を制御するようにしたので、利便性を低下させることなく、セキュリティ・安全性を向上させることができる。
【００３６】
また、本実施形態によれば、所持者の生体情報と、第三者との距離を示す位置情報とが所定の非表示条件に一致する場合に、予測変換候補を非表示とするようにしたので、利便性を低下させることなく、セキュリティ・安全性を向上させることができる。
【００３７】
また、本実施形態によれば、予測変換候補を、カテゴリ別に分類するようにし、非表示条件、または共有条件により、非表示とする予測変換候補のカテゴリ、または共有する予測変換候補のカテゴリを特定するようにしたので、利便性を低下させることなく、セキュリティ・安全性を向上させることができる。
【００３８】
また、本実施形態によれば、所持者の生体情報と、第三者との距離を示す位置情報と、非表示とする予測変換候補のカテゴリ名とを対応付けて非表示条件として設定するようにしたので、携帯端末１の利用状況に応じて、非表示とする予測変換候補のカテゴリを容易に設定することができる。
【００３９】
また、本実施形態によれば、予測変換候補を非表示とするだけでなく、携帯端末１の利用状況に応じて、予測変換候補を他の携帯端末と容易に共有（追加）することができる。
【００４０】
また、本実施形態によれば、所持者の生体情報と、第三者との距離を示す位置情報と、宛先情報と、共有する予測変換候補のカテゴリ名とを対応付けて共有条件として設定するようにしたので、携帯端末１の利用状況に応じて、共有する予測変換候補のカテゴリを容易に設定することができる。
【００４１】
なお、本発明の実施形態は、端末装置として携帯電話に適用した例であるが、本発明はこれに限定されず、携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ，Ｐｅｒｓｏｎａｌ  Ｄｉｇｉｔａｌ  Ａｓｓｉｓｔａｎｔｓ：個人向け携帯型情報通信機器）、スマートフォン等の携帯端末装置であって、ＧＰＳ機能、各種センサ（指紋センサ、近接センサ、顔認証機能）が利用でき、メーラアプリなどの通信系アプリを搭載した装置にも適用可能である。
【００４２】
以下、本発明の特徴を付記する。
上記の実施形態の一部又は全部は、以下の付記のようにも記載されうるが、以下には限られない。
（付記１）
図６は、付記１の構成図である。ここで、図６と図２との対応について説明する。図６に示す文字入力部２１は、図２の入力部１７２に相当し、図６の予測変換部２２は、図２の予測変換辞書１７３に相当する。また、図６の表示部２３は、図２の表示装置１７１に相当し、図６の利用状況取得部２４は、図２の予測変換表示制御部１３の一機能である利用状況取得機能に相当する。また、図６の予測変換表示制御部２５は、図２の予測変換表示制御部１３の一機能に相当する。
【００４３】
この図に示すように、付記１記載の発明は、
文字を入力する文字入力部２１と、
前記文字入力部２１から入力される文字から、入力される語句を予測し、予測変換候補として出力する予測変換部２２と、
前記予測変換部２２から出力される予測変換候補を表示する表示部２３と、
当該携帯端末２０の利用状況を取得する利用状況取得部２４と、
前記利用状況取得部２４によって取得された当該携帯端末２０の利用状況に基づいて、前記予測変換部２２から出力される予測変換候補の前記表示部２３への表示／非表示を制御する予測変換表示制御部２５と
を備えることを特徴とする携帯端末２０である。
【００４４】
（付記２）
前記利用状況取得部は、当該携帯端末の所持者の生体情報を取得する生体情報取得部と、当該携帯端末の位置情報を取得する位置情報取得部とを備え、前記予測変換表示制御部は、前記生体情報取得部によって取得された前記所持者の生体情報と、前記位置情報取得部によって取得された当該携帯端末の位置情報に基づいて算出される前記第三者との距離を示す位置情報とが所定の非表示条件に一致する場合に、前記予測変換部から出力される予測変換候補を非表示とすることを特徴とする付記１に記載の携帯端末である。
【００４５】
（付記３）
前記予測変換部は、前記予測変換候補を、カテゴリ別に分類して保持しており、前記所定の非表示条件は、非表示とする予測変換候補のカテゴリを特定することを特徴とする付記１または２に記載の携帯端末である。
【００４６】
（付記４）
前記所定の非表示条件として、所持者の生体情報と、前記第三者との距離を示す位置情報と、非表示とする予測変換候補のカテゴリとを対応付けて設定する非表示条件設定部を更に備えることを特徴とする付記３に記載の携帯端末である。
【００４７】
（付記５）
前記利用状況取得部は、通信系アプリケーションから送信される送信情報の宛先を示す宛先情報を取得する宛先情報取得部を更に備え、前記予測変換表示制御部は、前記生体情報取得部によって取得された前記所持者の生体情報と、前記位置情報取得部によって取得された当該携帯端末の位置情報に基づいて算出される前記第三者との距離を示す位置情報と、前記宛先情報取得部によって取得された前記宛先情報とが所定の共有条件に一致する場合に、前記予測変換部から出力される予測変換候補を前記第三者と共有することを特徴とする付記２に記載の携帯端末である。
【００４８】
（付記６）
前記予測変換部は、前記予測変換候補を、カテゴリ別に分類して保持しており、前記所定の共有条件は、共有する予測変換候補のカテゴリを特定することを特徴とする付記５に記載の携帯端末である。
【００４９】
（付記７）
前記所定の非表示条件として、所持者の生体情報と、前記第三者との距離を示す位置情報と、前記宛先情報と、共有する予測変換候補のカテゴリとを対応付けて設定する共有条件設定部を更に備えることを特徴とする付記６に記載の携帯端末である。
【００５０】
（付記８）
携帯端末のコンピュータに、文字を入力する文字入力機能、前記入力される文字から、入力される語句を予測し、予測変換候補として出力する予測変換機能、前記予測変換機能から出力される予測変換候補を表示部に表示する表示機能、当該携帯端末の利用状況を取得する利用状況取得機能、前記利用状況取得機能によって取得された当該携帯端末の利用状況に基づいて、前記予測変換機能から出力される予測変換候補の前記表示部への表示／非表示を制御する予測変換表示制御機能を実行させることを特徴とするプログラムである。
【符号の説明】
【００５１】
１  携帯端末
１０  ＧＰＳ制御部
１１  各種センサ
１２  通信系アプリケーション
１３  予測変換表示制御部
１４  条件設定部
１５  非表示条件ＤＢ
１６  共有条件ＤＢ
１７  文字入力部
１７１  表示装置
１７２  入力部
１７３  予測変換辞書
【図１】
2014137639.tif 000003
【図２】
2014137639.tif 000004
【図３】
2014137639.tif 000005
【図４】
2014137639.tif 000006
【図５】
2014137639.tif 000007
【図６】
2014137639.tif 000008